(57)【要約】【課題】角窓型又は車辺型バックライトの車種に使用でき、製造業者の製造コストや使用者の消費コストを減少できる通用型サイドミラー構造を提供する。【解決手段】通用型サイドミラー構造は、鏡体、二鉄片、弾性素子、旋転素子、回転棒、三角座、及び、固定座からなり、鏡体と二鉄片、弾性素子、旋転素子、回転棒、及び、三角座を結合して角窓型サイドミラーを形成するか、或いは、鏡体と一鉄片、弾性素子、回転棒、及び、固定座を結合して、車辺型サイドミラーを形成する。【選択図】図４
0003126653.tif 000002
【実用新案登録請求の範囲】
【請求項１】
通用型サイドミラー構造であって、鏡体、二鉄片、弾性素子、旋転素子、回転棒、三角座、及び、固定座、からなり、
前記鏡体と前記二鉄片、前記弾性素子、前記旋転素子、前記回転棒、及び、三角座は結合し、角窓型サイドミラーを形成するか、或いは、前記鏡体と一鉄片、前記弾性素子、前記回転棒、及び、前記固定座が結合して、車辺型サイドミラーを形成することを特徴とする通用型サイドミラー構造。
【請求項２】
前記角窓型サイドミラー、或いは、前記車辺型サイドミラーは、素子中の鏡体、鉄片、弾性素子、回転棒が共用素子であることを特徴とする請求項１に記載の通用型サイドミラー構造。
【請求項３】
前記角窓型サイドミラー素子中の旋転素子、及び、三角座と組成される車辺型サイドミラーの固定座は、相互に代替性があり、組成するサイドミラーの使用形態に対応することを特徴とする請求項１に記載の通用型サイドミラー構造。
【請求項４】
前記組成される角窓型サイドミラーは、三角座により車輌の角窓車種座と結合し、組成される車辺型サイドミラーは、固定座により車輌の車辺車種座と結合することを特徴とする請求項１に記載の通用型サイドミラー構造。
【考案の詳細な説明】
【技術分野】
【０００１】
本考案は、通用型サイドミラー構造に関するものであって、特に、角窓型サイドミラー、或いは、車辺型サイドミラーが、異なるサイドミラー位置の車種上に装着使用できる通用型サイドミラーに関するものである。
【背景技術】
【０００２】
車のサイドミラーの装着位置は二種あり、一つは角窓型サイドミラー１（図１）、もう一つは車辺型サイドミラー２（図２）である。角窓型サイドミラー１は三角座１０と車輌角窓位置の車種座３を結合し、車辺型サイドミラー２は固定座２０と車輌車辺適切箇所に設けられた車種座４と結合する。上述の二種のサイドミラー１、２は、装着位置が異なるので、構造と構成素子も異なる。即ち、使用者は好みの角窓型サイドミラー１を車辺型のサイドミラーの車種に装着したい場合、或いは、特殊なデザインの車辺型サイドミラー２を角窓型サイドミラーの車種に装着したい時、車種に合わせて別途購入する必要があり、製造業者は同様の問題に対応する時、型を車種規格に合うサイドミラーにしなければならない。
【考案の開示】
【考案が解決しようとする課題】
【０００３】
本考案は、角窓型サイドミラー、或いは、車辺型サイドミラーが、異なるサイドミラー位置の車種上に装着使用できる通用型サイドミラーを提供することを目的とする。
【課題を解決するための手段】
【０００４】
本考案の通用型サイドミラーは、鏡体、二鉄片、弾性素子、旋転素子、回転棒、三角座、及び、固定座、からなる。
【考案の効果】
【０００５】
製造業者にとっての長所は、異なる車種ごとに金型を製造する必要がなく、金型費用を減少させることで、使用者にとっての長所は、角窓型サイドミラーを主として購入し、相同の規格の固定座を追加購入すれば、後に、車辺型サイドミラーに変更したい場合、再購入する必要がなく、販売者にとっての長所は、角窓型サイドミラーを販売すると同時に、相同の規格の固定座も同時に販売し、販売量を増加させることができる。
【考案を実施するための最良の形態】
【０００６】
図４、及び、図７で示されるように、本考案は、鏡体５０、二鉄片５１、５２、弾性素子５３、旋転素子５４、回転棒５５、三角座５６、及び、固定座５９、からなり、鏡体５０は接続端５０１中心に素子を容置する容置槽５０２を設ける。三角座５６は側辺に、角窓型車種座６と結合する接合面５６０を有し、底部に回転棒５５を穿設する底総６１を有する。固定座５９内部に回転棒５５を穿設する円孔５９０を設け、底端は、車辺型車種座７と結合する。本案が角窓型サイドミラー５Aの形態である時、図３〜図５で示され、回転棒５５は円柱端５５０により、順に、鉄片５２、及び、旋転素子５４の中心孔に穿設された後、弾性素子５３を回転棒５５の円柱端５５０に嵌設すると共に、旋転素子５４頂部内に配置し、鉄片５１を回転棒５５の円柱端５５０のリブ箇所５５１外に設置し、回転棒５５と鉄片５１、及び、その間の構造結合後、ねじ８により回転素子５４と鏡体５０を結合し、回転棒５５の底端を三角座５６頂部の適切な箇所に配置して、ねじ５７により、三角座５６より回転棒５５を鎖固し、三角座５６の底槽５６１に配置して、三角座蓋５８を係合し、角窓型サイドミラー５Aを完成させる。本考案が車辺型サイドミラー５Bの形態であるとき、図６〜図８で示されるように、上述の角窓型サイドミラー５Aと完全に相同の様式、及び、規格の素子、鏡体５０、鉄片５１、弾性素子５３、及び、回転棒５５、からなり、別に、非共用の固定座５９を有する。回転棒５５は円柱端５５０により固定座５９底部の円孔５９０、及び、弾性素子５３に嵌設し、回転棒５５、固定座５９、弾性素子５３、及び、鉄片５１が結合し、ねじ９により、固定座９と鏡体５０を結合し、回転棒５５の底端を車種座７頂部に配置した後、ねじ５７により、車種座７と回転棒５５を鎖固し、車辺型サイドミラー５Bを完成する。
【０００７】
使用時、図９で示されるように、角窓サイドミラーの車種に使用したい時、共用素子、鏡体５０、鉄片５１、弾性素子５３、回転棒５５、及び、非共用素子、鉄片５２、旋転素子５４、三角座５６からなる角窓型サイドミラー５Aは、三角座５６と車種座６を結合後、車輌角窓の位置に装着使用する。車辺型サイドミラーの車種に使用したい時、図１０で示されるように、共用素子、鏡体５０、鉄片５１、弾性素子５３、回転棒５５、及び、非共用素子、固定座５９からなる角窓型サイドミラー５Bは、固定座５９の一端と車種座７を結合後、車輌車辺の適切箇所に装着使用する。
【０００８】
上述のような設計により、本考案は以下のような長所を有する。
１．本考案の通用型サイドミラー構造は、内部のある素子の共用可能特性により、同一の様式、及び、規格のサイドミラーにとって、角窓型サイドミラー５A製作時、固定座５９を追加製造するだけで、角窓型サイドミラー車種、及び、車辺型サイドミラー車種に通用でき、製造業者にとって、異なる車種ごとに金型を製造する必要がなく、金型費用を減少させ、コストダウンが達成され、サイドミラーのストック量も減少できる。
２．本考案の素子の共用可能特性により、使用者にとって、購入時、角窓型サイドミラー５Aを主として購入し、相同の規格の固定座５９を追加購入すれば、後に、車辺型サイドミラーに変更したい場合、再購入する必要がなく、消費コストを減少させる。
３．本考案は、販売者にとって、角窓型サイドミラー５Aを販売すると同時に、相同の規格の固定座５９も同時に販売し、販売量を増加させると共に、ストック量を減少させ、販売業者にとってもコストダウンが達成される。
【０００９】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１０】
【図１】公知の使用状態参考図（１）である。
【図２】公知の使用状態参考図（２）である。
【図３】本考案の立体図である。
【図４】本考案の立体分解図である。
【図５】本考案の断面図である。
【図６】本考案のもう一つの実施例立体図である。
【図７】本考案のもう一つの実施例立体分解図である。
【図８】本考案のもう一つの実施例の断面図である。
【図９】本考案の使用状態参考図（１）である。
【図１０】本考案の使用状態参考図（２）である。
【符号の説明】
【００１１】
１    角窓型サイドミラー
１０  三角座
２    車辺型サイドミラー
２０  固定座
３    車種座
４    車種座
５A    角窓型サイドミラー
５B    車辺型サイドミラー
５０  鏡体
５０１    接続端
５０２    容置槽
５１  鉄片
５３  弾性素子
５４  旋転素子
５５  回転棒
５５０  円柱端
５５１  リブ
５６  三角座
５６０  接続面
５６１  底槽
５７  ねじ
５８  三角座蓋
５９  固定座
５９０  円孔
６  角窓型車種座
７  車辺型車種座
８  ねじ
９  ねじ
【図１】
0003126653.tif 000003
【図２】
0003126653.tif 000004
【図３】
0003126653.tif 000005
【図４】
0003126653.tif 000006
【図５】
0003126653.tif 000007
【図６】
0003126653.tif 000008
【図７】
0003126653.tif 000009
【図８】
0003126653.tif 000010
【図９】
0003126653.tif 000011
【図１０】
0003126653.tif 000012